(57)【要約】【課題】商品補充時の賞味期限等の設定操作を簡略にし、賞味期限等の品質保持期限のある商品の販売を確実に管理することができる自動販売機の制御装置を提供する。【解決手段】本体１内に設けられた商品コラム５の商品補充数と賞味期限とを設定する設定手段３５と、商品コラム５の商品売切れ状態を検出する売切検知手段３２とを備え、商品コラム５に収容された商品の賞味期限を管理する自動販売機の制御装置３０において、商品コラム５に商品が残っている状態で、商品コラム５に商品を追加して補給する場合に、追加した商品の補給数を設定することにより追加した商品の賞味期限を自動的に設定するとともに、残存する商品の賞味期限を従前の設定に保持し、設定の古い順から優先順位が高くなるように賞味期限を管理する。【選択図】      図８
2012164179.tif 000002
【特許請求の範囲】
【請求項１】
本体内に設けられた商品コラムの商品補充数と賞味期限とを設定する設定手段と、前記商品コラムの商品売切れ状態を検出する売切検知手段とを備え、前記商品コラムに収容された商品の賞味期限を管理する自動販売機の制御装置において、前記商品コラムに商品が残っている状態で、前記商品コラムに商品を追加して補給する場合に、追加した商品の補給数を設定することにより追加した商品の賞味期限を自動的に設定するとともに、残存する商品の賞味期限を従前の設定に保持し、設定の古い順から優先順位が高くなるように賞味期限を管理することを特徴とする自動販売機の制御装置。
【請求項２】
本体内に設けられた商品コラムに収容される商品の賞味期限を設定する設定手段と、前記商品コラムの商品売切れ状態を検出する売切検知手段と、前記本体の開口を開閉する本体扉の開閉を検出する扉開閉検知手段とを備え、前記商品コラムに収容された商品の賞味期限を管理する自動販売機の制御装置において、前記商品コラムの商品売切れ状態が前記売切検知手段により検出されているとき、前記本体扉の開放が前記扉開閉検知手段により検知され、かつ前記商品コラムに商品が収容され前記商品売切れ状態が解消された後、前記本体扉の閉塞が前記扉開閉検手段により検知されたとき、前記商品収納コラムの賞味期限が既定値に自動的に設定されることを特徴とする自動販売機の制御装置。
【発明の詳細な説明】
【技術分野】
【０００１】
本発明は、自動販売機の制御装置に関し、特に収容商品の賞味期限を設定して商品の販売を制御することができる自動販売機の制御装置に関する。
【背景技術】
【０００２】
従来のこのような自動販売機の制御装置としては、本出願人が先に出願し、公開された特開２０１０−６１２３８号公報(特許文献１)に記載されるような自動販売機の制御装置が知られている。この特許文献１に記載される自動販売機の制御装置は、本体内に収容された商品の品質保持期限を個別に管理する自動販売機の制御装置であって、対象となるコラムの商品補充数が入力され、かつ一の商品に対して品質保持期限日付が入力された場合、その商品補充数から一を除いた数の商品に対して前記品質保持期限日付と同一の品質保持期限日付を入力して設定する設定入力手段を備えたものである。
【０００３】
そして、この自動販売機の制御装置によれば、対象となるコラムの商品補充数が入力され、かつ一の商品に対して品質保持期限日付が入力された場合、設定入力手段がその商品補充数から一を除いた数の商品に対して品質保持期限日付と同一の品質保持期限日付を入力して設定するので、従来のようにルート作業者等が設定入力手段を通じて補充する商品の１つ１つの品質保持期限日付を入力することなく、所定のコラムに補充する複数の商品のうち一つについて品質保持期限日付を入力するだけで良いから、商品補充作業を簡単なものとしつつ、商品補充作業に要する時間の短縮化を図ることができるという効果を有するというものである。
【先行技術文献】
【特許文献】
【０００４】
【特許文献１】特開２０１０−６１２３８号公報
【発明の概要】
【発明が解決しようとする課題】
【０００５】
ところで、この従来の自動販売機の制御装置においては、商品の補充の度に設定リモコン等によって商品補充数と一の品質保持期限日付を必ず設定しなければならないから、これらの設定操作を熟知した作業者でないと商品補充の作業が行えない場合が生じる。また、これらの設定を忘れた場合には、品質保持期限を過ぎた商品を販売してしまう虞があった。
【０００６】
本発明は、このような問題に対応するため、商品の補充時の設定操作を簡略にして設定操作に不慣れな作業者であってもその操作が容易に行えるようにし、賞味期限等の品質保持期限のある商品の販売を確実に管理することができる自動販売機の制御装置を提供することを目的とするものである。
【課題を解決するための手段】
【０００７】
上記課題を解決するため、請求項１に係る発明は、本体内に設けられた商品コラムの商品補充数と賞味期限とを設定する設定手段と、前記商品コラムの商品売切れ状態を検出する売切検知手段とを備え、前記商品コラムに収容された商品の賞味期限を管理する自動販売機の制御装置において、前記商品コラムに商品が残っている状態で、前記商品コラムに商品を追加して補給する場合に、追加した商品の補給数を設定することにより追加した商品の賞味期限を自動的に設定するとともに、残存する商品の賞味期限を従前の設定に保持し、設定の古い順から優先順位が高くなるように賞味期限を管理するものである。
【０００８】
これによれば、前記商品コラムに商品を補給する場合に、前記商品コラムに残存する商品を取り除かずに商品を追加して補給しその補給数を設定することにより、前記商品コラムに収容される全ての商品の賞味期限を設定することができる。
【０００９】
また、請求項２に係る発明は、本体内に設けられた商品コラムに収容される商品の賞味期限を設定する設定手段と、前記商品コラムの商品売切れ状態を検出する売切検知手段と、前記本体の開口を開閉する本体扉の開閉を検出する扉開閉検知手段とを備え、前記商品コラムに収容された商品の賞味期限を管理する自動販売機の制御装置において、前記商品コラムの商品売切れ状態が前記売切検知手段により検出されているとき、前記本体扉の開放が前記扉開閉検知手段により検知され、かつ前記商品コラムに商品が収容され前記商品売切れ状態が解消された後、前記本体扉の閉塞が前記扉開閉検知手段により検知されたとき、前記商品収納コラムの賞味期限が規定値に自動的に設定されるものである。
これによれば、商品の売切れ状態にある前記商品コラムに、前記本体扉を開放して商品を収容するとき、（すなわち、商品コラムの売切れ状態が、前記本体扉の開放検知の後に解消されるとき）収容された商品の賞味期限を自動的に設定することができる。
【発明の効果】
【００１０】
以上説明したように請求項１に係る発明によれば、商品コラムに商品を補給する場合に、商品コラムに残存する商品を取り除かずに商品を追加して補給しその補給数を設定することにより、商品コラムに収容される全ての商品の賞味期限を設定することができるから、商品コラム内に残存する商品を入れ替える必要が無く、また賞味期限の設定ミスや設定忘れを防止することができる。すなわち、商品の補給作業を容易にし、収容商品の賞味期限を確実に管理することができる自動販売機の制御装置を提供することができる。
また、請求項２に係わる発明によれば、商品の売切れ状態にある商品コラムに、本体扉を開放して商品を収容するとき、（すなわち、商品コラムの売切れ状態が、本体扉の開放検知の後に解消されるとき）収容された商品の賞味期限を自動的に設定することができるから、商品コラムに収容された商品の賞味期限の設定忘れや設定ミスを防止することができる。すなわち、収容商品の賞味期限管理を容易に行うことができる自動販売機の制御装置を提供することができる。
【図面の簡単な説明】
【００１１】
【図１】本発明の実施の形態に係る制御装置を備える自動販売機を示す正面図である。
【図２】本発明の実施の形態に係る制御装置を備える自動販売機において前扉を開いた状態を示す斜視図である。
【図３】本発明の実施の形態に係る制御装置を備える自動販売機の制御構成を示すブロック図である。
【図４】本発明の実施の形態に係る制御装置を備える自動販売機において、商品コラム別の商品管理本数、及び賞味期限期間の入力設定をおこなう処理を示すフローチャートである。
【図５】本発明の実施の形態に係る制御装置を備える自動販売機において、商品管理本数と賞味期限期間とが対応付けられて記憶される「管理テーブル」の例を示す図である。
【図６】本発明の実施の形態に係る制御装置を備える自動販売機において、賞味期限機能が動作するときの処理を示すフローチャートである。
【図７】本発明の実施の形態に係る制御装置を備える自動販売機において、商品が販売されるときの処理を示すフローチャートである。
【図８】本発明の実施の形態に係る制御装置を備える自動販売機において、収容商品が残存する商品コラムに商品を補充する場合の処理を示すフローチャートである。
【図９】本発明の実施の形態に係る制御装置を備える自動販売機において、商品が売切れ状態にある商品コラムに商品を収容する場合の処理を示すフローチャートである。
【発明を実施するための形態】
【００１２】
以下、本発明の実施の形態の自動販売機の制御装置について、図面を参照して説明する。
図１は本発明の実施の形態に係る制御装置を備える自動販売機を示す正面図、図２は本発明の実施の形態に係る制御装置を備える自動販売機において前扉を開いた状態を示す斜視図である。
【００１３】
図１、図２に示すようにこの自動販売機は、前面を開口した本体１と、本体１前面の開口を開閉自在に覆う前扉（本体扉）２を備えている。そして、本体１内には、前面が開口し周囲を断熱部材により囲繞された収納庫３が設けられ、その収納庫３内には商品を前後一列に並べて収納する商品コラム５を左右列に並べて構成した商品収納部４が、上下に段状に設けられている。商品コラム５内には、販売指令に基づいて回転駆動され、商品を前方に送り出すように構成されたスパイラル部材６が配置されている。また、商品コラム５には、収容された商品の売切れ状態を検出する売切検知手段３２（図３参照）が設けられている。また、前扉２と商品収納部４の前面との間には、商品コラム５から送出された商品を受容し、後述の商品取出口８に搬送する商品搬送装置１０が設けられている。これらの商品コラム５や商品搬送装置１０は、後述の主制御部３１（図３参照）によりその動作が制御される。
【００１４】
前扉２は、商品コラム５に収納した商品、及び商品販売時に顧客の購入した商品が、商品コラム５から送出され商品搬送装置１０によって商品取出口８に搬送される販売動作が、外部から目視、観察できるように、それらに対応する領域に透明板７が配設されている。また、透明板７の側方には操作部が形成され、数字キーの組合せで販売商品を指定するテンキーボタン１７、紙幣処理装置の紙幣挿入口１８ａ、硬貨処理装置の硬貨投入口１８ｂ、釣銭等を返却する金銭返却レバー１９、釣銭切れや投入金額等の販売情報を表示する表示器２０、釣銭硬貨等を返却する硬貨返却口２１、前扉２を施錠する鍵部２２等が配設されている。また、前扉２の下部には商品搬送装置１０により商品取出口８に搬送された商品を取り出すための開口部１３と、開口部１３を開閉するための取出口扉１５が設けられている。なお、前扉２は、後述の扉開閉検知手段３３（図３参照）により、本体１前面の開口を開閉する状態が検知される。
【００１５】
また、本体１の下部には図示しない冷却装置４０（図３参照）が設けられ、これにより収納庫３内部を所定温度に冷却する。
図３は本発明の実施の形態に係る制御装置を備える自動販売機の制御構成を示すブロック図である。この制御装置３０は自動販売機の全体を制御する主制御部３１を備え、この主制御部３１は、この自動販売機の制御に必要なプログラム等を記憶するメモリ３１ａと、商品コラム５別の商品管理本数（商品補充数）、賞味期限期間（賞味期限）などの種々の設定データを記憶するデータメモリ３１ｂと、時を刻む時計部３１ｃを備えている。
【００１６】
また、この主制御部３１には、商品コラム５別の商品管理本数、賞味期限期間などの各種の設定値を入力するためのリモコン（設定手段）３５、商品コラム５や商品搬送装置１０を制御して商品の搬出を制御する商品搬出制御部３６、前扉２の開閉状態を検知する扉開閉検知手段３３、紙幣処理装置や硬貨処理装置を制御する貨幣処理部３７、販売商品を指定するテンキーボタン１７、各種の販売情報を表示する表示器２０、冷却装置４０を制御して収納庫内３部を所定に冷却する冷却制御部３８等が接続されている。そして、リモコン３５には、賞味期限スイッチ３５ａ、賞味期限機能動作ランプ３５ｂ、警告ランプ３５ｃ、設定入力や入力終了、或いは表示スクロール機能などを有する操作キー３５ｄが設けられている。
【００１７】
次に、このように構成される本発明の実施の形態に係る制御装置を備える自動販売機の動作を説明する。図４は本発明の制御装置を備える自動販売機において商品コラム５別の商品管理本数（補給数）、及び賞味期限期間（賞味期限）の入力設定をおこなう処理を示すフローチャートである。まず、本体1前面を覆う前扉２を開放し（ステップＳ１１，Ｙ）、各商品コラム５に商品を収容する（ステップＳ１２）。そして、リモコン３５の操作キー３５ｄを操作して賞味期限期間の設定モードとし、賞味期限期間として例えば「５」日を入力する（ステップＳ1３）。（なお、この場合に商品コラム５別に異なる賞味期限期間を入力しても良い。）続いて、操作キー３５ｄを操作して商品コラム５別の商品管理本数の設定モードにし、商品コラム５別の商品の収容数を商品管理本数として入力する（ステップＳ１４）。そうすると、商品コラム５別に入力された商品管理本数と賞味期限期間が対応付けられて、図５に示す管理テーブルのように管理データとしてメモリ３１ｂに記憶される（ステップＳ１５）。そして、前扉２を開放する前に、商品コラム５が売切れ状態であった場合（ステップＳ１６，Ｙ）は、入力されたこれらの商品管理本数と賞味期限期間が各商品コラム５の初期設定値として、メモリ３１ｂに記憶される（ステップＳ１７）。
【００１８】
そして、リモコン３５の賞味期限スイッチ３５ａを操作して、賞味期限機能の運用を開始する。なお、賞味期限機能の運用が開始されると賞味期限機能動作ランプ３５ｂが点灯する。図６は、本発明の制御装置を備える自動販売機において、賞味期限機能が動作するときの処理を示すフローチャートである。図に示すように、日付が変更になった時、すなわち１秒毎のインターバルで、時刻が0時0分0秒になった時（ステップＳ２１，Ｙ）、賞味期限期間を減算する（ステップＳ２２）。そして、この減算の結果、賞味期限期間が「０」日になった商品コラムに収容された商品は、設定した賞味期限期間が経過したことになるので（ステップＳ２３，Ｙ）、表示器２０の売切れ表示による販売停止などの賞味期限切れ処理を行う（ステップＳ２４）。
【００１９】
ここで、本発明の制御装置を備える自動販売機において、商品が販売されるときの処理を図７に示すフローチャートを参照して説明する。図７は、本発明の制御装置を備える自動販売機において、商品が販売されるときの処理を示すフローチャートである。図に示すように商品コラム５に収容された商品が販売されると（ステップＳ３１，Ｙ）、図５に示すように記憶される管理テーブルの最も優先度の高い（優先順番号の小さい）商品管理本数のデータを減算する（ステップＳ３２）。そして、その減算の結果、商品管理本数が「０」本になった場合は（ステップＳ３３）、それに続く優先度の高い順にテーブルデータを賞味期限期間データとともに繰り上げシフトして管理テーブルを更新する（ステップＳ３４，Ｙ）。このようにして、商品が販売される度に商品管理本数の設定データが変更される。
【００２０】
図８は、本発明の制御装置を備える自動販売機において、収容商品が残存する商品コラム５に商品を補充する場合の処理を示すフローチャートである。図に示すように、先ず本体１前面の前扉２を開放して（ステップＳ４１，Ｙ）、商品を商品コラム５に補給する（ステップＳ４２，Ｙ）。そして、リモコン３５を操作して商品コラム５別の商品管理本数の設定モードにし、商品を補給した商品コラム５の商品補給数を商品管理本数として入力する（ステップＳ４３）。そうすると、商品が補給された商品コラム５について、入力された商品補給数と初期設定値として記憶される賞味期限期間が対応付けられて、図５に示す管理テーブルに設定の古い順から優先順位が高くなるように管理データとして追加され、メモリ３０ｂに記憶される（ステップＳ４４）。なお、補給した商品の賞味期限期間の設定が新たに必要な場合は、リモコン３５の操作キー３５ｄを操作して、賞味期限期間の設定モードにし、補給した商品に対応する賞味期限期間を入力してもよい。
【００２１】
また、図９は、本発明の制御装置を備える自動販売機において、商品が売切れ状態にある商品コラム５に商品を収容する場合の処理を示すフローチャートである。図に示すように、まず本体１前面の前扉２を開放して（ステップＳ５１，Ｙ）、売切れ状態の商品コラム５に商品を収容する（ステップＳ５２）。そして、商品の収容作業が終了したら前扉２を閉める（ステップ５３，Ｙ）。そうすると、前扉２解放前の商品コラム５が売切れ状態であって（ステップＳ５４，Ｙ）、前扉２閉塞後にその売切れ状態が解除されたか否かが判断され（ステップＳ５５）、前扉２の開閉動作の後に商品コラム５の売切れ状態が解除されている場合は、商品コラム５に商品が収容されたものと判断し、初期設定値として記憶される商品管理本数と賞味期限期間が対応付けられて図５に示すように管理テーブルに記憶される（ステップＳ５６）。このように本発明の制御装置を備える自動販売機は動作する。
【００２２】
以上のように、本発明に係る自動販売機の制御装置によれば、商品コラム５に商品を補給する場合に、商品コラム５に残存する商品を取り除かずに商品を追加して補給しその補給数を設定することにより、商品コラム５に収容される全ての商品の賞味期限を設定することができるから、商品コラム５内に残存する商品を入れ替える必要が無く、また賞味期限の設定ミスや設定忘れを防止することができる。すなわち、商品の補給作業を容易にし、収容商品の賞味期限を確実に管理することができる自動販売機の制御装置を提供することができる。
【００２３】
また、商品の売切れ状態にある商品コラム５に、前扉２を開放して商品を収容するとき、収容された商品の賞味期限を自動的に設定することができるから、商品コラム５に収容された商品の賞味期限の設定忘れや設定ミスを防止することができる。すなわち、収容商品の賞味期限管理を容易に行うことができる自動販売機の制御装置を提供することができる。
【００２４】
なお、本発明は、言うまでもなく本実施の形態に示す自動販売機の制御装置にのみ限定されず、その趣旨の包含する範囲で応用変更が可能である。例えば、商品コラム５や、リモコン３５、あるいは、主制御部３１の構成等は、本発明を実施する自動販売機の制御装置の態様、構成に応じて適宜に設定されるものである。
【符号の説明】
【００２５】
１  本体
２  前扉（本体扉）
５  商品コラム
１０  商品搬送装置
２０  表示器
３０  制御装置
３１  主制御部
３１ａ  メモリ
３１ｂ  データメモリ
３１ｃ  時計部
３２  売切検知手段
３３  扉開閉検知手段
３５  リモコン（設定手段）
３５ａ  賞味期限スイッチ
３５ｂ  動作ランプ
３５ｄ  操作キー
３６  商品搬出制御部
【図１】
2012164179.tif 000003
【図２】
2012164179.tif 000004
【図３】
2012164179.tif 000005
【図４】
2012164179.tif 000006
【図５】
2012164179.tif 000007
【図６】
2012164179.tif 000008
【図７】
2012164179.tif 000009
【図８】
2012164179.tif 000010
【図９】
2012164179.tif 000011